(57)【要約】      （修正有）【課題】高い加熱出力を生成することができ、しかも新しい態様の加熱装置を提供する。【解決手段】ホブのための輻射加熱装置の形の加熱装置は、支持体上側を有するシート状支持体と、支持体上側の上の少なくとも一つの加熱要素１１とを含み、加熱要素は、高度に波形にされており、かつトラック状の敷設パターンで延びている。加熱要素は、少なくとも二つの加熱伝導体ストリップ１３ａ、１３ｂを有し、少なくとも二つの加熱伝導体ストリップのそれぞれは、横側と、上縁と、下縁とを有する。少なくとも二つの加熱伝導体ストリップは、それらの横側を互いに対面させることによって一緒に配置されているか又は互いの上に配置されており、かつ少なくとも部分的に接触している。少なくとも二つの加熱伝導体ストリップは、有利には、波形にされる前に、固定されかつ取りはずし不可能な態様で互いに接続されている。【選択図】図５
2019053981.tif 000002
【特許請求の範囲】
【請求項１】
支持体上側を有するシート状支持体と、前記支持体上側の上の少なくとも一つの加熱要素とを含む加熱装置であって、前記加熱要素は、トラック状の敷設パターンで延びているものにおいて、前記加熱要素は、少なくとも二つの加熱伝導体ストリップを有し、前記少なくとも二つの加熱伝導体ストリップのそれぞれは、横側と、上縁と、下縁とを有し、前記少なくとも二つの加熱伝導体ストリップは、それらの横側を互いに対面させることによって一緒に配置されているか又は互いの上に配置されており、かつ少なくとも部分的に接触しており、前記少なくとも二つの加熱伝導体ストリップは、固定されかつ取りはずし不可能な態様で互いに対して接続されていることを特徴とする加熱装置。
【請求項２】
前記加熱伝導体ストリップの厚さと前記支持体上側から離れる方向における前記加熱伝導体ストリップの高さの比は、１：２０〜１：５００であることを特徴とする、請求項１に記載の加熱装置。
【請求項３】
前記加熱伝導体ストリップは、互いに対して溶接されていることを特徴とする、請求項１に記載の加熱装置。
【請求項４】
前記加熱伝導体ストリップは、複数の溶接点で互いに対して溶接されており、前記複数の溶接点は、前記加熱伝導体ストリップの長手方向に沿って互いから距離を置かれており、前記距離は、前記加熱伝導体ストリップの高さの２倍〜２０倍であることを特徴とする、請求項３に記載の加熱装置。
【請求項５】
前記少なくとも二つの加熱伝導体ストリップの接続部は、前記加熱伝導体ストリップの高さの半分以下の位置に配置されていることを特徴とする、請求項１に記載の加熱装置。
【請求項６】
前記加熱装置は、正確に二つの加熱伝導体ストリップを有し、これらのストリップは、一つの部品でかつ互いに一体的に設計されており、これらのストリップは、曲げ線に沿って曲げるか又は折り畳むことによって互いの上に配置されており、前記曲げ線は、前記加熱要素の長手方向の範囲に対して平行に延びているか、又は前記上縁に対して平行に延びていることを特徴とする、請求項１に記載の加熱装置。
【請求項７】
前記加熱装置は、正確に二つの加熱伝導体ストリップを有し、これらのストリップは、一つの部品でかつ互いに一体的に設計されており、これらのストリップは、単一のストリップから機械加工されていることを特徴とする、請求項６に記載の加熱装置。
【請求項８】
前記二つの加熱伝導体ストリップは、下縁から突出する複数の保持要素を有し、前記複数の保持要素は、前記加熱要素を前記支持体の上に保持するために、前記支持体上側の中に押されるようになっており、前記複数の保持要素はそれぞれ、下縁を越えて同じ程度に突出していることを特徴とする、請求項６に記載の加熱装置。
【請求項９】
曲げ縁又は曲げ線は、前記二つの加熱伝導体ストリップが前記保持要素の端縁で互いに対して接続されるように、前記保持要素の端縁を通って延びていることを特徴とする、請求項８に記載の加熱装置。
【請求項１０】
前記加熱要素は、互いに上になった二つの加熱伝導体ストリップ又は互いに上になった三つの加熱伝導体ストリップを有する二層又は三層設計のものであることを特徴とする、請求項１に記載の加熱装置。
【請求項１１】
前記複数の加熱伝導体ストリップは、同一のものであることを特徴とする、請求項１０に記載の加熱装置。
【請求項１２】
前記加熱伝導体ストリップは、前記支持体上側の上に直立して保持されており、前記上縁は、上部にあり、前記下縁は、前記支持体の上に又は前記支持体の中にあることを特徴とする、請求項１に記載の加熱装置。
【請求項１３】
前記加熱要素は、下方に突出する複数の保持要素を有し、前記複数の保持要素は、前記加熱要素を前記支持体上に保持するために、前記支持体上側の中に押されるようになっていることを特徴とする、請求項１に記載の加熱装置。
【請求項１４】
前記複数の保持要素は、長さの８０％より多くを下縁に沿って延びかつ上縁に対して平行に延びる線を越えて突出しており、前記複数の保持要素は、前記加熱伝導体ストリップの高さの３０％〜２００％だけこの線を越えて突出していることを特徴とする、請求項１３に記載の加熱装置。
【請求項１５】
前記複数の保持要素は、別個の複数の構成要素であり、前記別個の複数の構成要素は、Ｕ形状又は弓形状の二つの肢によって前記加熱要素の上縁の上に配置され、かつ下縁を越えて下方に突出しており、前記別個の複数の構成要素は、それらの間の加熱伝導体ストリップの全ての層を包囲していることを特徴とする、請求項１３に記載の加熱装置。
【請求項１６】
前記複数の保持要素は、下縁を越えて下方に突出する二つの肢が互いに対して接続されると同時に下方領域の加熱要素に対して接続されるように、下縁で溶接接続されることによって加熱要素に取り付けられていることを特徴とする、請求項１５に記載の加熱装置。
【請求項１７】
前記複数の保持要素は、下方に突出しかつ前記線を越えて突出する複数の突出部として、少なくとも一つの加熱伝導体ストリップの上に一体的に形成されていることを特徴とする、請求項１６に記載の加熱装置。
【請求項１８】
少なくとも二つの加熱伝導体ストリップが与えられており、それらは、互いの上に置かれ、かつ互いに対して接続されており、それぞれの加熱伝導体ストリップは、それ自体の複数の保持要素を有しており、それぞれの加熱伝導体ストリップのそれぞれの保持要素は、重複する態様で配置されず、互いに対して片寄っていることを特徴とする、請求項８又は１２に記載の加熱装置。
【請求項１９】
加熱要素は、２ｍｍ〜８ｍｍの波長を有する波形であることを特徴とする、請求項１に記載の加熱装置。
【請求項２０】
加熱要素は、０．５ｍｍ〜５ｍｍの波振幅を有する波形であることを特徴とする、請求項１に記載の加熱装置。
【請求項２１】
請求項１に記載の加熱装置を製造するための方法であって、前記方法は、
−  少なくとも二つの加熱伝導体ストリップを互いの上に配置して加熱要素を形成する工程と、
−  加熱要素をその平坦な横側から外に波形の撓みを有するように波形にする工程と
を含み、これらの最初の二つの工程の順序は、任意であり、前記方法は、
−  次に、前記加熱要素をトラック状の敷設パターンで平坦な支持体の支持体上側に付与し、それを押すことによって取り付ける工程
をさらに含むことを特徴とする方法。
【請求項２２】
前記加熱伝導体ストリップを互いに固定して接続して加熱要素を形成することを特徴とする、請求項２１に記載の方法。
【請求項２３】
前記加熱伝導体ストリップを、それらが波形にされる前に、互いに固定して接続して加熱要素を形成することを特徴とする、請求項２２に記載の方法。
【請求項２４】
請求項７に記載の加熱装置を製造するための請求項２１に記載の方法であって、前記二つの加熱伝導体ストリップは、それらが互いの上に配置される前に既に一つの部品で一体的に互いに対して接続されており、前記二つの加熱伝導体ストリップは、第一工程においてまず互いの上に折り畳まれ、次に二重にされた加熱要素が、続く第二工程において波形にされること、及び前記二つの加熱伝導体ストリップは、それらが互いの上に配置される前に既に一つのストリップから一つの部品で一体的に製造されていることを特徴とする方法。
【請求項２５】
請求項７に記載の加熱装置を製造するための請求項２１に記載の方法であって、前記二つの加熱伝導体ストリップは、それらが互いの上に配置される前に既に一つの部品で一体的に互いに対して接続されており、前記二つの加熱伝導体ストリップは、第一工程においてまず互いの上に折り畳まれ、次に二重にされた加熱要素が、続く第二工程において波形にされること、及び前記二つの加熱伝導体ストリップは、それらが互いの上に折り畳まれた後に溶接によって互いに対して追加的に接続されることを特徴とする方法。
【発明の詳細な説明】
【技術分野】
【０００１】
本発明は、加熱装置に関し、特にホブのための輻射加熱装置の形の加熱装置に関する。本発明はまた、この種の加熱装置を製造するための方法にも関する。
【背景技術】
【０００２】
ＵＳ５８３４７４０Ａ１及びＵＳ５４９８８５３Ａ１は、シート状支持体と、ストリップ形の加熱要素とを有するホブのための輻射加熱装置を開示する。前記シート状支持体は、断熱性かつ電気絶縁性の材料から構成される。前記ストリップ形の加熱要素は、前記支持体の支持体上側の上にトラック状の敷設パターンで延びている。この場合、加熱要素は、加熱伝導体ストリップを含み、保持のために加熱伝導体ストリップの下縁によって支持体上側の中にわずかな程度、押される。さらに、加熱伝導体ストリップは、一体化された設計の複数の保持要素を有し、これらの保持要素は、加熱伝導体ストリップの高さのいくらか下の長さだけ下縁を越えて下方に突出する。これらの保持要素は、加熱伝導体ストリップ又は加熱要素を支持体の上に取り付けるために主に寄与する。加熱伝導体ストリップの二つの横側は、操作中、１０００℃を越える熱を放出し、この熱が次に上方に輻射する。
【０００３】
加熱伝導体ストリップ又は加熱要素の電気抵抗のため、この種の輻射加熱装置の最大加熱出力は、現在、家庭用の操作では約３６００Ｗ又は３７００Ｗに制限されている。この技術を使用しては、現在のところ、これより高い加熱出力は達成されることができない。
【発明の概要】
【発明が解決しようとする課題】
【０００４】
本発明は、冒頭で述べた種類の加熱装置及びこの種の加熱装置を製造するための方法であって、従来技術の問題を解決することができ、特に従来技術よりも高い加熱出力を生成することができ、しかも新しい態様で加熱装置を設計することができるものを提供するという課題に基づいている。
【課題を解決するための手段】
【０００５】
この課題は、請求項１の特徴を有する加熱装置によって、及び請求項２１の特徴を有するこの種の加熱装置を製造するための方法によって解決される。本発明の利点及び好ましい実施形態は、さらなる請求項に含まれ、以下でさらに詳細に説明される。この場合、いくつかの特徴は、加熱装置についてのみ記述されるか、又は前記加熱装置の製造方法についてのみ記述される。しかし、それにも関わらず、それらは、加熱装置のみではなく、前記加熱装置の製造方法にも独立して適用されることができることを意図されている。特許請求の範囲の文言は、明示の参照によって明細書にも組み入れられる。
【０００６】
加熱装置は、シート状支持体を有する。これは、有利には、ホブのための輻射加熱装置についての従来技術から公知であるように、断熱性かつ電気絶縁性の材料から構成されることができる。この支持体は、支持体上側を有し、これは、有利には平坦又は平面状である。トラック状の特定の敷設パターンで延びる加熱要素が、この支持体上側の上に与えられる。この敷設パターンは、従来技術から公知であるように、螺旋状の設計のものであるか及び／又は蛇行している設計のものであることができる。この場合、加熱要素は、有利には、平行な又は実質的に平行な、又は同心のトラックで主に延びる。
【０００７】
本発明によれば、加熱要素は、少なくとも二つの加熱伝導体ストリップを有する。これらの加熱伝導体ストリップのそれぞれは、横側と、上縁と、下縁とを有する。前記少なくとも二つの加熱伝導体ストリップは、それらの横側を互いに対面させることによって一緒に配置されているか又は互いの上に配置されているか又は一緒に折り畳まれており、かつ互いに対面させられた横側によって少なくとも部分的に接触している。特定の状況では、前記加熱伝導体ストリップは、少なくとも複数の点又は区域で、有利には、大部分、又は７０％以上、又は完全に、シート状の態様で一緒に置かれることすらできる。前記少なくとも二つの加熱伝導体ストリップは、固定されかつ取りはずし不可能な態様で互いに対して接続されており、特に、少なくともそれらが支持体上に配置されているか又は支持体に取り付けられている時の状態（つまり、完成した加熱装置の状態）ではそうである。加熱要素の少なくとも二つの加熱伝導体ストリップは、有利には、それらが支持体に取り付けられる前に互いに対して固定されて接続される。
【０００８】
このおかげで、全ての意図及び目的のために、従来技術に従った単一の加熱伝導体ストリップの代わりに二つの加熱伝導体ストリップで加熱要素が二重化され、伝導体の断面の大きさが増加されることができ、それ故、最大可能電流が増加し、その結果として、加熱要素によって生成される加熱出力も増加する。加熱要素のための加熱伝導体ストリップを二重化又は多重化することは、一体化され、従って厚い加熱伝導体ストリップ（これは、単一の加熱伝導体ストリップとして加熱要素を形成する）と比べて容易に製造されることができるという主要な利点を有する。これは、もし加熱要素が波形であるか又は波形にされることを意図されるなら、特にそうである。波形にする操作は、従来技術から公知のように、２ｍｍ〜８ｍｍの波長で及び／又は０．５ｍｍ〜５ｍｍの波振幅で行なわれることができる。その結果として、加熱要素の横側の出現領域の寸法が増大するだけでなく、電気抵抗の特別な値のために本来的に極めて大きな長さを有する加熱伝導体ストリップ又は加熱要素を、予め規定された寸法の支持体上に収容することが可能になる。
【０００９】
本発明の範囲内で、全ての意図及び目的のために加熱伝導体ストリップの複数の層を含む加熱要素が、これらの層が互いの上に直接配置されていないか又は接触していない点又は領域を有する場合、この種の加熱装置の操作にとってそれは問題でないことが特別に見出されている。さらに述べると、個々の加熱伝導体ストリップの横側でのこれらの個々の加熱伝導体ストリップの間のこの種の接触は、電流に影響を与えないことも真実である。第一に、材料は、有利には従来技術のものから選択されることができる。この材料は、作動温度で作動の少なくとも数時間後にその表面で酸化し、高い接触抵抗を有するようになる。このようにして、加熱伝導体ストリップの横側（それらは、それら自身、互いに対して配置されている）の領域は、全ての意図及び目的のために互いに電気的に絶縁される。第二に個々の加熱伝導体ストリップからのそれぞれの熱放出は、実験で見出されているように、問題を生じない。加熱伝導体ストリップのために波形をより効率的に製造する能力、及び加熱伝導体ストリップの従来の習慣的な厚さの使用の可能性は、明らかな利点である。波形が比較的狭いと、厚い加熱伝導体ストリップでは過剰の曲げの問題が生じ、次に亀裂又は少なくとも弱化点が前記加熱伝導体ストリップ中に生成されることが主に予測される。これは次に、頻繁なスイッチオン及びスイッチオフ操作のための関連する熱によって誘導される膨張と共に、目で見える白熱領域に、高温での続く操作中に損傷及び破壊をもたらしうる。
【００１０】
本発明のある実施形態では、それぞれの加熱伝導体ストリップは、加熱要素の全長に渡って延びることが有利である。この場合、加熱要素は、スタートからフィニッシュまで連続的に常に二つ又は三つ又はそれより多い数の加熱伝導体ストリップからなる。これらの加熱伝導体ストリップは、それらの横側によって一緒に配置されるか又は互いの上に配置される。
【００１１】
本発明のさらなる実施形態では、加熱伝導体ストリップの厚さとその高さ（上縁から下縁までの高さ）の比は、１：２０〜１：５００であり、特に有利には１：６０〜１：２００である。この場合、加熱伝導体ストリップの厚さは、０．０３ｍｍ〜０．１ｍｍであり、有利には０．０５ｍｍ〜０．０７ｍｍであることができる。高さは、２ｍｍ〜８ｍｍであり、有利には３ｍｍ〜５ｍｍであることができる。
【００１２】
有利には、加熱伝導体ストリップは、互いに対して溶接されており、特に溶接点で互いに対して溶接されている。有利には、この種の溶接点は、前記加熱伝導体ストリップの長手方向に沿って互いから距離を置かれており、前記距離は、例えば前記加熱伝導体ストリップの高さの２倍〜２０倍であることができる。代替として、前記距離は、５ｍｍ〜１００ｍｍであり、有利には９ｍｍ〜２０ｍｍであることができる。加熱伝導体ストリップが完全に近くにもしくはほとんど近くに一緒に置かれること、又はそれらの長さに渡って互いに対して圧迫されること（これは、増大した数の溶接点、及びそれによってもたらされる小さな距離の結果である）は絶対的に必要ではないとしても、加熱要素の加工（特に、上述の波形を生成させるための加工）、及び支持体上側中への加熱要素の可能な押し込みは、より効率的に行なわれることが可能である。これは主に、加熱伝導体ストリップの層が互いに対して堅固に圧迫されている場合は、そうである。
【００１３】
好ましくは、加熱伝導体ストリップの互いに対する接続又は溶接は、加熱伝導体ストリップの高さの半分以下の位置に（つまり、加熱要素又は加熱伝導体ストリップの下部領域に）配置されるか又はこの位置で行なわれる。有利には、この種の接続又は溶接は、加熱伝導体ストリップの高さの４分の１以下の位置に、特に有利には下縁に与えられる。この理由は、加熱要素が支持体上側に圧迫するため、又は加熱要素が支持体上側中にある程度（たとえそれが少しだとしても）埋め込まれるため、第一に加熱要素が直接冷却され、第二に、熱放出が減少されるからである。従って、熱放出の減損は、これらの接続点において、（特にもし溶接されるのなら）消極的な影響をあまり有さないことができる。この場合、特定の状況下では、加熱伝導体ストリップが上方向に又はそれらの上縁の方向に互いから距離を置かれることができ、その結果として、それぞれの加熱出力の放出が改善される。
【００１４】
原則として、加熱要素は、互いの上に配置された又は互いに対して接続された複数の又は多数の加熱伝導体ストリップ（例えば四つ又はそれ以上の加熱伝導体ストリップ）を含むことができる。有利には、加熱要素は、互いに上になった二つの加熱伝導体ストリップ又は互いに上になった三つの加熱伝導体ストリップを有する二層又は三層設計のものである。特に有利には、加熱要素は、互いに上になった二つの加熱伝導体ストリップを有する二層設計のものである。
【００１５】
一般的には、複数の加熱伝導体ストリップは、同様の又は同一の設計のものであることができる。これは、それらの輪郭及び／又はそれらの厚さについて当てはまることができる。その結果として、単一の種類の加熱伝導体のみが製造されなければならない場合に製造が単純化されることができる。本発明の改変において、同一の輪郭で異なる厚さの二つの加熱伝導体ストリップが接続されて加熱要素を形成することができる。この場合、厚さの差は、薄い方の加熱伝導体ストリップの５％〜１００％であることができる。
従来技術から公知のように、有利には、加熱伝導体ストリップ（加熱要素）は、支持体上側の上に直立して保持されるか又は配置される。有利には、これは、９０°の角度で、つまり支持体上側に対して直角で行なわれる。この場合、加熱要素又は加熱伝導体ストリップの上縁は、上方に面し、それぞれの下縁は、支持体もしくは支持体上側に圧迫するか、又は支持体上側中にもしくは支持体中にある程度埋め込まれるかもしくは押し込まれる。これは、従来技術から公知であり、支持体上の加熱要素の特に有利な保持及び配置を与える。これは、互いに上になった複数の加熱伝導体ストリップを含むこの種の多層加熱要素において主に有利である。
【００１６】
本発明の有利な実施形態では、加熱要素は、下方に突出する複数の保持要素を有し、前記複数の保持要素は、前記加熱要素を前記支持体上に保持するか又は取り付けるために、前記支持体上側の中に押されるようになっている。これらの複数の保持要素は、長さの８０％より多くを下縁に沿って延び、かつ上縁に対して平行に延びる線を越えて突出している。特に、前記複数の保持要素は、前記加熱伝導体ストリップの高さの３０％〜２００％だけこの線を越えて突出している。本発明の一つの実施形態では、この線は、加熱伝導体ストリップ自体の下縁であることができる。これは、複数の保持要素が、別個の複数の構成要素であり、前記別個の複数の構成要素が、Ｕ形状又は弓形状の二つの肢によって上から前記加熱要素の上縁の上に配置され、それによって下縁を越えて下方に突出している場合に主に当てはまる。このとき、下縁は、それにもかかわらず直線で連続的に延び続ける。この場合、保持要素又は保持要素の二つの肢は、それらの間の加熱伝導体ストリップの全ての層を包囲している。これは既に、加熱伝導体ストリップの互いに対する又は加熱要素に対するある種の固定された接続を与えることができる。しかし、有利には、保持要素は、溶接接続によって、又は二つの肢（これらは、互いの上に置かれている）を下縁の下に回すことによって、加熱要素に追加的に取り付けられる。好ましくは、複数の保持要素は、下縁を越えて下方に突出する二つの肢が互いに対して接続されると同時に下方領域の加熱要素又は加熱伝導体ストリップに対して接続されるように、下縁に取り付けられる。特に好ましくは、それらは互いに対してここで溶接される。この場合、全ての意図及び目的に対して、溶接接続の小さな部分がまた下縁に結合して接続されていると仮定して、主要な溶接接続が保持要素の二つの肢の間になされるだけで十分である。
【００１７】
従って、保持要素は、加熱要素を支持体上に保持するというそれらの機能に加えて、それら自体によって及び加熱要素へのそれらの接続によって、加熱伝導体ストリップを互いに対して接続することができる。
【００１８】
本発明の代替的な実施形態では、複数の保持要素は、下方に突出する複数の突出部として、少なくとも一つの加熱伝導体ストリップの上に一体的に与えられることができる。従って、保持要素は、下縁にほぼ相当する上述の線を越えて突出し、この線は、下縁から下方に突出する保持要素のみによって中断される。これらの突出部の形状は、正方形又は矩形であることができる。有利には、それらは、支持体上側中への穿孔又は押し込みを容易にするために、下向きの方向にある程度のテーパーを有する台形であることもできる。
【００１９】
加熱要素のための少なくとも二つの加熱伝導体ストリップが与えられており、それらが互いの上に置かれ、かつ互いに対して（有利には上述の溶接によって）接続されている場合、それぞれの加熱伝導体ストリップは、複数の保持要素を有していることができる。しかし、それぞれの加熱伝導体ストリップのそれぞれの保持要素は、重複する態様で配置されず、従って、熱伝導体ストリップは、一致する態様で互いの上に置かれておらず、互いに対して片寄っている。この場合、有利には、加熱伝導体ストリップは、それぞれの場合において保持要素と同じ距離だけ互いに対して片寄っており、従って、加熱伝導体ストリップの一つは、それぞれの場合において、保持要素と同様に交互に与えられている。保持要素が全ての意図及び目的のために支持体上側の中に一つの層の深さだけ押し込まれる場合、保持効果は十分であるとみなされる。この方法で良好な保持が達成されることすらあり得る。なぜなら、二層保持要素が平坦でない態様で接続されるか又は温度のために移動されるかもしくは変化される場合、不利益は生じないからである。さらに、この場合、より少ない数の一体的に形成された保持要素が加熱伝導体ストリップ上に与えられることができ、従って、材料は、全ての意図及び目的のために節約されることができる。下方に一体的に突出する保持要素は、いかなる場合にも加熱機能にほとんど又は全く影響を与えない。なぜなら、加熱装置の作動中にこれらの保持要素を通って流れる電流はわずかだからである。
【００２０】
第二に、一体化された設計の保持要素において、それらは、加熱伝導体ストリップを互いに対して接続して加熱要素を形成するために互いに対して接続されることが有利であることができる。この理由はまた、上述したように、一体的に下方に突出するこれらの保持要素を通って流れる電流はないか又はわずかだからである。従って、全ての意図及び目的のために、溶接接続による構造への損傷（主に加熱伝導体ストリップの表面への損傷）は、電流によって、及び主に熱の生成によって、より少ない程度まで負荷に供される点で耐えられ、その結果として、加熱装置の有効寿命も改善されることができる。
【００２１】
上述の加熱装置を製造することを可能にするために、二つの工程がまず実行される。第一に、少なくとも二つの加熱伝導体ストリップが、それらの横側によって互いの上に配置されて加熱要素を形成する。さらに、加熱要素又は加熱伝導体ストリップは、波形にされる（特にその平坦な横側からこの種の波形の撓みを有するように波形にされる）。これらの二つの工程の順序は、任意であり、相互に交換されることができる。従って、加熱要素は、互いの上に置かれるように互いに対して接続された少なくとも二つの加熱伝導体ストリップからまず形成されることができる。続く工程において、波形化操作が実行されることができ、これによって、互いに対して接続された加熱伝導体ストリップは、全ての意図及び目的のために波形にされる。代替として、個々の加熱伝導体ストリップは、まず波形にされることができる。これはもちろん、同一の波形化操作で実行される。続く工程において、前記加熱伝導体ストリップは次に互いの上に配置され、有利には互いに対して固定して接続される。
【００２２】
もし波形にされた多層加熱要素が製造されるのなら、続く工程において、前記加熱要素は、導入部分で前述したように、トラック状の特定の敷設パターンで平坦な支持体の支持体上側に付与され、その中に押されることによって取り付けられる。この場合、加熱要素の下縁は、代替として又は追加的に加熱要素の下方に突出する保持要素と共に支持体上側の中に押されることができる。有利には、加熱要素は、導入部分で述べたＵＳ５８３４７４０Ａ１に従って、つまり、機械加工された溝状の凹所を有する特別に成形された一種の取り付け部分の中に導入された加熱要素の全体によって、平坦な支持体の支持体上側に付与される。この時、加熱要素は、この成形された取り付け部分の上側を越えてある程度突出し、成形された取り付け部分は、加熱要素と共に、支持体上側の上に配置されて支持体上側の中に押される。その結果として、加熱要素は、特に上述の突出する保持要素によって、支持体上側の中に押されて、取り付けられる。
【００２３】
本発明の有利な実施形態では、加熱伝導体ストリップは、前記方法において互いに固定して接続されて加熱要素を形成し、従って、加熱要素は、安定な態様で、特にそれが熱的に移動されるときに支持体に取り付けられる。有利には、加熱伝導体ストリップは、それらが波形にされる前に互いに対して固定して接続され、従って、波形化操作は、多層加熱要素において実行される。この場合、互いに対する加熱伝導体ストリップの接続はまた、加熱伝導体ストリップがまず個々に波形にされ、次に互いに対して固定して接続される場合と比べて、特定の前提に従って、さらに単純でかつ正確な態様で実行可能である。
【００２４】
本発明の同様に有利な代替的実施形態では、加熱装置は、正確に二つの加熱伝導体ストリップを有し、これらのストリップは、一つの部品でかつ互いに一体的に設計されている。この場合、それらは、機械加工されている（例えば、特に単一のストリップから打ち抜かれている）。しかし、本発明の範囲内の意図は、前記個々のストリップが二つの加熱伝導体ストリップからなるというものである。次に、二つの加熱伝導体ストリップは、加熱要素又は加熱装置の製造中に曲げ線に沿って曲げるか又は折り畳むことによって互いの上に配置される。この曲げ線は、上述のように、前記加熱要素の長手方向の範囲に対して平行に延びているか、及び／又は前記上縁に対して平行に延びている。従って、二つの加熱伝導体ストリップは、全ての意図及び目的のために、ただ一つの加熱伝導体ストリップであるか、又は互いに対して既に一体的に接続されており、それ故、それらは曲げ又は折り畳み操作の後に互いに対して接続される必要はもはやない。しかし、これは、特に互いの上への配置と共に、曲げ線に沿った曲げ又は折り畳みの後になおも実行されることが有利でありうる。この種の接続のため、組み合わされた部品は、さらに効率的に、有利には溶接によって永久に保持されることができる。この場合、二つの加熱伝導体ストリップは、第一工程においてまず互いの上に折り畳まれ、次に二重にされた加熱要素が、続く第二工程において波形にされる。このようにすることによって、他の方向の回転は、加熱要素の一体的な設計のためにほとんど不可能であるだろう。
【００２５】
上述のように、この実施形態では、二つの加熱伝導体ストリップはまた、下縁から突出する複数の保持要素を有し、前記複数の保持要素は、前記加熱要素を前記支持体上に保持するために、前記支持体上側の中に押されるようになっており、これらの保持要素はそれぞれ、下縁を越えて同じ程度に突出することが有利である。ここで、上述のように、保持要素は、特に有利には、加熱伝導体ストリップから一体的に形成されるか又はそれらから突出しており、つまり、別個の部品ではない。曲げ縁又は曲げ線は、二つの加熱伝導体ストリップの二つの下縁の間の中央を延びることができ、つまり、折り畳まれていない状態で全ての意図及び目的のために鏡軸を形成することができる。有利には、曲げ縁又は曲げ線は、前記二つの加熱伝導体ストリップが前記保持要素の端縁又は端で一つの部品でかつ一体的に互いに対して接続されるように、前記保持要素の端縁を通って延びている。その結果として、曲げ又は折り畳みは、さらに容易に実行されることができる。代替として、上述のように二重にされた加熱要素に対して別個の保持要素を続いて取り付けることも可能であるだろう。
【００２６】
これらのさらなる特徴は、請求項からだけでなく、明細書及び図面からも集められることができ、個々の特徴は、各場合においてそれら自身で又は本発明の実施形態及び他の分野において副組み合わせの形で結合して実現されることができ、保護がここでクレームされる有利で固有の保護可能な実施形態を構成することができる。個々の部分への適用の小分割及び小見出しは、その下でなされる文章の一般的な有効性を制限しない。
【図面の簡単な説明】
【００２７】
本発明の例示的実施形態は、図面に示されており、以下にさらに詳細に説明されるだろう。
【図１】図１は、下部に一体的に形成された保持要素を有する細長いストリップの形の本発明による加熱要素の側面図を示す。
【図２】図２は、二つの加熱伝導体ストリップを接続するためのスポット溶接装置を有する、図１からの加熱要素の上から見た平面図を示す。
【図３】図３は、溶接された部分及び二つの加熱伝導体ストリップの間の空隙を有する、図２からの加熱要素１１の上から見た平面図の拡大図を示す。
【図４】図４は、互いに対して圧迫する二つの加熱伝導体ストリップであって、一体的に形成された保持要素が互いに対して片寄らされているものを含む代替的な加熱要素を、図１と同様の表現で示す。
【図５】図５は、波形化操作の前に互いに対して溶接された二つの加熱伝導体ストリップを含む、完全に波形にされた加熱要素の平面図を示す。
【図６】図６は、まず一緒に配置されて、次に溶接された二つの別々に波形にされた加熱伝導体ストリップを有する、図５に対する代替的な設計を示す。
【図７】図７は、ホブ板、及びその下に配置された加熱装置を有するホブの詳細の側面図を示し、そこでは、加熱装置は、支持体上に部分的に埋め込まれた加熱要素を有する。
【図８】図８は、一緒に折り畳まれるために中央軸に対して対称的な単一の連続的に一体化されたストリップの平面図を示す。
【図９】図９は、下方に突出する保持要素を有する、二層形態の図８からの一緒に折り畳まれたストリップを示す。
【発明を実施するための形態】
【００２８】
図１は、側面から見た加熱要素１１を示す。この加熱要素は、図２及び図３に示されるように、二つの加熱伝導体ストリップ１３ａ及び１３ｂを含む。これらの加熱伝導体ストリップは、局所的に互いの上に配置され、互いに対して部分的に（しかし完全にではなく）延びている。これは、図３による上からの平面図の拡大図に示されている。そこでは、分離された狭い空隙２８が、加熱伝導体ストリップ１３ａと１３ｂの間に見られることができる。溶接された部分２６（矢印で示されている）は、二つの加熱伝導体ストリップ１３ａ及び１３ｂを一緒に保持し、その結果として、それらは、固定されて取りはずし不可能な態様で互いに対して接続される。図３に示される空隙２８は、極めて狭くすることができ、加熱伝導体ストリップ１３の厚さの１０％〜５００％の範囲にあることができる。
【００２９】
加熱伝導体ストリップ１３ａは、横側１５ａ（図１に示されている）、上縁１７ａ（直線で延びる）、及び下縁１９ａを有する。下縁１９ａは、大部分が直線で延びるが、下で保持要素２１ａによって中断されている。保持要素２１ａは、下方に突出する態様で前記下縁の上に一体的に形成されている。加熱伝導体ストリップ１３ａの高さは、最初に述べたように数ミリメートルであることができ、保持要素２１ａの間の互いに対する距離は、約１５ｍｍ〜２５ｍｍであることができる。第二加熱伝導体ストリップ１３ｂは、図３に示されるように、正確に同じ方法で設計され、同じ厚さを有する。
【００３０】
図２において上から示されるように、加熱伝導体ストリップ１３ａ及び１３ｂは、平坦な態様で一緒に配置されるか又は互いに対して配置され、スポット溶接された部分２６によって、二つの溶接チップ２５ａ及び２５ｂを有するスポット溶接装置２３によって接続される。図１〜図３の例示的な実施形態では、スポット溶接された部分２６は、互いに対して距離を置かれて与えられており、従って、それらはそれぞれ、保持要素２１ａの上に与えられている。それらは、下縁１９ａの外挿された線の上に実質的に置かれるが、この線よりいくらか下に、つまり保持要素２１の全体に又は保持要素２１の表面のみにおいて置かれることもできる。この理由は、既に上述されている。特に、加熱伝導体ストリップ１３又は加熱要素１１の主要な活性部分の構造（これは、上縁１７と下縁１９の間の加熱伝導体ストリップ１３の高さに相当する）は、その結果として否定的な又は不利な影響を受けない。
【００３１】
図４には、加熱要素１１１の代替的な実施形態が示されている。図４は再度、二つの加熱伝導体ストリップ１１３ａ及び１１３ｂを示し、これらは、それらの互いに面する横側によって一緒に配置されるか又は互いの上に配置され、従って、それらは大部分が局所的に接触している。加熱伝導体ストリップ１１３ａ及び１１３ｂはそれぞれ、同一の設計のものであり、以前の例示的実施形態の加熱伝導体ストリップ１３ａ及び１３ｂと実質的に同様のものである。従って、前記加熱伝導体ストリップは、横側１１５を有し、加熱伝導体ストリップ１１３ａの横側１１５ａがここでは見られることができる。さらに、前記加熱伝導体ストリップは、上縁１１７ａ及び１１７ｂを有し、加熱伝導体ストリップ１１３ａの下縁１１９ａがここでは見られることができる。二つの加熱伝導体ストリップ１１３ａ及び１１３ｂは、保持要素１２１ａ及び１２１ｂを有し、これらは、下方に突出するように一体的に形成されている。しかし、前記保持要素は、図１〜図３の加熱要素１１の場合において見られるように、それらが交互に互いの後になって重複したり波形になったりしないように、互いに対して片寄らされている。従って、互いに対する保持要素１２１ａと１２１ｂの間の距離は、２倍だけ大きい。それにもかかわらず、個々の及び単一の層のみの保持要素１２１ａ及び１２１ｂを挿入することによる支持体への加熱要素１１１の確実な固定も、この場合は可能である。
【００３２】
二つの加熱伝導体ストリップ１１３ａ及び１１３ｂは次に、矢印によって示される溶接された部分１２６によって接続される。溶接された部分１２６の間の距離も、図１のものに相当するが、溶接された部分１２６が保持要素１２１ａ及び１２１ｂの上に互いに形成されることができない点では異なる。最終的に、これらの保持要素１２１ａ及び１２１ｂは、互いに対して圧迫されない。なぜなら、それらは互いに対して片寄らされているからである。従って、溶接された部分１２６は、加熱伝導体ストリップ１１３ａ及び１１３ｂの下部領域に与えられ、つまり、上縁１１７よりも下縁１１９の近くに与えられ、具体的には、それぞれの場合において、隣接する複数の保持要素１２１の間の正確に中央に与えられる。本発明のさらなる実施形態では、溶接された部分１２６は、一方の加熱伝導体ストリップ１１３の保持要素１２１に対する他方の加熱伝導体ストリップ１１３の下縁１１９にそれらが直接接続されるように形成されることもできる。
【００３３】
加熱要素１１の図５の平面図は、波形化操作後の状態を示し、つまり、加熱要素１１が完全に波形にされた時の状態を示す。予め規定されたように二層で製造されて二つの加熱伝導体ストリップ１３ａ及び１３ｂを含む加熱要素１１は、波形にされた加熱要素を製造するために従来技術において現在既に使用されているような波形化装置（これは、冒頭で述べた文献から公知である）を通過させられる。波形化操作中の保持要素２１又は溶接された部分２６の位置（つまり、波形化操作中の頂点又は変換点の位置）は、仕上げられた加熱要素１１にとっては重要ではない。
【００３４】
加熱装置又は加熱装置のための加熱要素を製造するための代替的な方法において、個々の加熱伝導体ストリップ１３ａ及び１３ｂはまず。図６に従って波形にされる。原則として、この波形の形状は、図５のものに対応することができ、従来技術において公知のようにして実行されることができる。次に、二つの加熱伝導体ストリップ１３ａ及び１３ｂは、互いの上に配置され、有利には、それらの保持要素（ここでは図示されていない）が、図１に従って正確に互いの上に配置されるか又は図４に従って互いに対して片寄らされるように配置される。次に、溶接操作が、溶接チップ２５ａ及び２５ｂによって上述したような態様で実行され、二つの加熱伝導体ストリップ１３ａ及び１３ｂを固定されかつ取りはずし不可能な態様で互いに接続する。溶接操作のための場所は、上述のようにして選択されることができる。
【００３５】
従って、図６に示される方法では、なおも個々の加熱伝導体ストリップ１３は、まず波形にされ、次に一緒に配置されるか又は互いの上に配置され、そして固定されかつ取りはずし不可能な態様で互いに接続される。この方法による利点は、加熱伝導体ストリップの波形化が疑いもなく容易であるということである。なぜなら、それは、従来技術による手順に正確に相当するか又は現在実行されている態様であるからである。しかし、一つの欠点は、続く溶接操作を実行することがかなり困難であるということである。これは、比較的薄い溶接チップであってもそうである。最終的に、前記溶接チップは、最も好適には、それぞれの場合に波の峰において（つまり、頂点において）溶接操作を実行しなければならない。なぜなら、ここでは加熱伝導体ストリップを一緒に押す工程が最も簡単に実行可能であるからである。しかし、これは常に容易に実行できるわけではない。さらに、溶接操作が常に図１に従って保持要素の表面で実行されることができるということは、（これが望ましいとしても）予測不可能である。
【００３６】
図７の単純化された図は、ホブ板３１及び本発明による加熱装置３３をその下に有するホブ３０を示す。加熱装置３３は、従来技術で公知のように、ホブ板の下側に取り付けられている。加熱装置３３それ自体は、いわゆる輻射加熱装置の形のものであり、平坦なシート状の支持体３５と、その外側の周りに延びる支持体縁３６を有する。加熱要素１１は、支持体縁３６の内部の支持体３５の表面の大部分に渡って付与されており、具体的には、円周状又は蛇行する形状（ここでは図示されていない）で、敷設パターンとしては所望により同心的に付与されている。しかし、これも従来技術から寄せ集められることができる。原則として、図５に従う加熱要素１１（この加熱要素は、従って、二つの層を有し、かつ非連続的な態様でその長さに渡って接続されるか又は溶接される）を押し込む工程は、有利には容易に実行されることができる。この種の二層加熱要素も、上述の文献ＵＳ５８３４７４０Ａ１の形の従来技術から公知の押し込み型の中に挿入されることができる。この押し込み操作は次に、従来技術から公知の態様で実行されることができる。保持要素２１（図７において点線で示されている）は、次に、支持体３５の中に押し込まれ、所望により加熱伝導体ストリップの下縁の中にもわずかに押し込まれる。
【００３７】
図７によるこの種の加熱装置３３を、本発明による加熱要素１１（これは、二つ又は三つの層を有し、互いの上に配置されかつ取りはずし不可能な態様で互いに接続されている加熱伝導体ストリップからなる）と一緒にすることによって、かなり高い加熱出力が達成され、しかも同時に確実にされる製造方法は、簡単で、容易に実行されることができる。
【００３８】
図８は、本発明のさらなる実施形態についてのものであり、どのようにして二つの加熱伝導体ストリップ２１３ａ及び２１３ｂが最初から一つの部品でかつ一体的に既に製造されるかを示す。二つの加熱伝導体ストリップ２１３ａ及び２１３ｂは、曲げ線Ｂ（これは、一点鎖線で示されている）に対して鏡像対称に延びる。この場合、細長い形状の凹所２２０が、好適な加熱伝導体材料の単一の元々は連続的な幅広ストリップから打ち抜かれる。これらの凹所は、それらの長手方向に関して、曲げ線Ｂに対して対称的である。
【００３９】
これらの打ち抜かれた凹所２２０のおかげで、加熱伝導体ストリップ２１３ａ及び２１３ｂは、以前は連続的な幅広ストリップの外部縁としての上縁２１７ａ及び２１７ｂを与えられるだけでなく、下縁２１９ａ及び２１９ｂも与えられる。保持要素２２１ａ及び２２１ｂは、これらの下縁２１９ａ及び２１９ｂからこれらを越えて延びる。二つの加熱伝導体ストリップは、保持要素２２１ａ及び２２１ｂでそれら自体互いに融合する。従って、凹所２２０は、それらの形状によって、保持要素２２１ａ及び２２１ｂの形状、及び図７に従う仕上げられた状態での加熱要素の高さを決定する。
【００４０】
曲げ縁２２２は、曲げ線Ｂがこれらの保持要素を通って延びるか又は対向する保持要素２２１ａ及び２２１ｂを通って延びる場所で、具体的には前記曲げ線Ｂに沿って与えられる。これらの曲げ縁２２２は、型押又は溝形成によって連続的な曲げ縁として設計されるか又は全ての意図及び目的のために予め成形されることができる。従って、前記曲げ縁は、二つの加熱伝導体ストリップが次に曲げ線Ｂに沿って曲げられて一緒に折り畳まれる場所を予め指定する。図１と同様の態様で、波形にされていない状態での加熱伝導体ストリップの長手方向に沿った保持要素２２１ａと２２１ｂの間の距離の大きさが、ここでは明確に示されている。言うまでもないことだが、保持要素はまた、より短く又はより長く、より狭く又はより幅広に、より互いに対して近く又はより互いから離れて設計されることもできる。
【００４１】
もし二つの加熱伝導体ストリップ２１３ａ及び２１３ｂが曲げ線Ｂに沿って一緒に折り畳まれてそこで正確に重複するのなら、図９の構造が形成される。この図９は、図１に従って又は図１におけるのと同様の態様で再び、波形化操作の前の側からの加熱要素２１１を示す。図９では、下部の加熱伝導体ストリップ２１３ｂは曲げ線Ｂに沿って、できる限り平坦になるように１８０°を通る図の平面へと折り畳まれるか、又は他方の加熱伝導体ストリップ２１３ａに対して図２及び図３に従って平面図に折り畳まれること、及びいずれの場合においても内部側に折り畳まれることが見られることができる。二つの横側２１５ａ及び２１５ｂは、本発明に従って与えられるようにこの時、外向きにそれぞれ面する。図９はまた、保持要素２２１ａの下縁が、曲げ縁２２２によって形成されることを示す。この閉鎖された下縁は、所望により、図７におけるのと同様に支持体３５の中に前記保持要素を押し込むことをさらに容易にすることができる。
【００４２】
図９の右手側は、どのようにして二つの可能なスポット溶接された部分２６が与えられることができるのかを示す。左手側のスポット溶接された部分２２６は、加熱伝導体ストリップ２１３の高さの約半分の位置に配置されている。しかし、前記スポット溶接された部分はまた、より高くに又はより低くに又は上縁２１７ａと下縁２１７ｂの間のどの位置にでも与えられることができ、これらの縁のうちの一つに対して直接与えられることもできる。右手側のオプションは、保持要素２２１ａの上の又はこの保持要素の表面のほぼ中央におけるスポット溶接された部分２２６である。この溶接された部分２２６は、このとき、下部曲げ縁２２２からほんのわずかの距離にしかなく、従って、上方に曲がった加熱要素２１１に対する保持効果、又は互いから離れる方向に曲がった二つの加熱伝導体ストリップ２１３ａ及び２１３ｂに対する保持効果は、あまり良好ではない。しかし、加熱要素２１１はなおも波形にされることを意図されている（特に、図５の平面図に対応する最終形状にされることを意図されている）ので、上方への曲げ又はこの方向の離れる曲げは、ほとんど不可能であるか又は起こりそうにない。従って、スポット溶接された部分２２６は、全体的に分配されることもできる。これは、組み立ての費用をかなり減少させ、しかも製品寿命を増大させる。
【００４３】
図８及び図９の例示的実施形態の主要な利点は、二つの加熱伝導体ストリップを、それらが連結されて次に曲げられるか又は一緒に折り畳まれるように元々一つの部品で一体的に製造するおかげで、互いに対するそれらの位置が予め指定され、変更されることができないということであると考えられる。従って、一緒に折り畳まれた状態での互いに対する二つの加熱伝導体ストリップの位置もまた、正確に予め指定され、変更されることができない。さらに、型押操作からの廃棄材料は、減少されることができ、スポット溶接を実行することは絶対的に必要ではない。
【００４４】
原則として、図８及び図９は、二つの加熱伝導体ストリップが、同一の形状を有し、かつ一緒に折り畳まれるか又は一緒に曲げられた後に互いに対して十分に一致した態様で配置されることは必須ではないということを示す。他の構成配置もまた実施可能である。しかし、前記方法は、加熱出力（特に表面加熱出力）の均一な分布のために高く推奨される。
【図１】
2019053981.tif 000003
【図２】
2019053981.tif 000004
【図３】
2019053981.tif 000005
【図４】
2019053981.tif 000006
【図５】
2019053981.tif 000007
【図６】
2019053981.tif 000008
【図７】
2019053981.tif 000009
【図８】
2019053981.tif 000010
【図９】
2019053981.tif 000011
【外国語明細書】
2019053981.tif 000012
2019053981.tif 000013
2019053981.tif 000014
2019053981.tif 000015
2019053981.tif 000016
2019053981.tif 000017
2019053981.tif 000018
2019053981.tif 000019
2019053981.tif 000020
2019053981.tif 000021
2019053981.tif 000022
2019053981.tif 000023
2019053981.tif 000024
2019053981.tif 000025
2019053981.tif 000026
2019053981.tif 000027
2019053981.tif 000028
2019053981.tif 000029
2019053981.tif 000030
2019053981.tif 000031
2019053981.tif 000032
2019053981.tif 000033
2019053981.tif 000034
2019053981.tif 000035
2019053981.tif 000036
2019053981.tif 000037
2019053981.tif 000038
2019053981.tif 000039
2019053981.tif 000040
2019053981.tif 000041
2019053981.tif 000042
2019053981.tif 000043
2019053981.tif 000044
2019053981.tif 000045
2019053981.tif 000046
2019053981.tif 000047
2019053981.tif 000048
2019053981.tif 000049